(57)【要約】【課題】底部の底壁面における頂部が下側に向けて変位するのを抑制し、前記頂部が接地面に衝突するのを抑制することができるボトルを提供する。【解決手段】射出成形により形成された有底筒状のプリフォームがブロー成形され、減容変形自在に形成されたボトルであって、底部１４の底壁面２５が、外周縁部に位置する接地部２６と、ボトル径方向の中央部に位置して射出成形時のゲート部分が位置する頂部２７と、これらの接地部２６と頂部２７とを連結するとともに、ボトル径方向の外側から内側に向かうに従い漸次、下側から上側に向けて延びる立ち上がり壁２８と、を備え、立ち上がり壁２８は、接地部２６に連なる外連結部３０と、頂部２７に連なる内連結部３１と、を備え、外連結部３０のボトル軸Ｏに対する傾斜角度が、内連結部３１のボトル軸Ｏに対する傾斜角度よりも大きくなっている。【選択図】図１
2013209118.tif 000002
【特許請求の範囲】
【請求項１】
射出成形により形成された有底筒状のプリフォームがブロー成形され、減容変形自在に形成されたボトルであって、
底部の底壁面は、外周縁部に位置する接地部と、ボトル径方向の中央部に位置して射出成形時のゲート部分が位置する頂部と、これらの接地部と頂部とを連結するとともに、ボトル径方向の外側から内側に向かうに従い漸次、下側から上側に向けて延びる立ち上がり壁と、を備え、
該立ち上がり壁は、前記接地部に連なる外連結部と、頂部に連なる内連結部と、を備え、
前記外連結部のボトル軸に対する傾斜角度が、前記内連結部のボトル軸に対する傾斜角度よりも大きくなっていることを特徴とするボトル。
【請求項２】
前記底部は、当該ボトルの胴部の下端に接続され、
該胴部は、複数のパネル面部が、ボトル軸方向に延びる稜線部を介してボトル周方向に連設されて構成され、
前記複数のパネル面部には、一方の前記稜線部の上端と他方の前記稜線部の下端とを繋ぐ谷線部が各別に形成され、
それぞれの前記谷線部は、ボトル周方向に並列するように配設されていることを特徴とする請求項１に記載のボトル。
【発明の詳細な説明】
【技術分野】
【０００１】
本発明は、ボトルに関する。
【背景技術】
【０００２】
詰替え容器として、ブロー成形されたボトルが一般に知られている。このようなボトルは、例えば射出成形により形成された有底筒状のプリフォームが、ブロー成形されることにより形成されている。この種のボトルとして、例えば下記特許文献１に示されるように、減容変形可能となるように薄肉に形成されたものが知られている。射出成形されたプリフォームをブロー成形することでボトルを形成する場合、底部の底壁面が、外周縁部に位置する接地部と、ボトル径方向の中央部に位置して射出成形時のゲート部分が位置する頂部と、これらの接地部と頂部とを連結するとともに、ボトル径方向の外側から内側に向かうに従い漸次、下側から上側に向けて延びる立ち上がり壁と、を備える構成が知られている。
【先行技術文献】
【特許文献】
【０００３】
【特許文献１】特開２０１１−１４８５５１号公報
【発明の概要】
【発明が解決しようとする課題】
【０００４】
ところで、前記従来のボトルにおいては、薄肉に形成されているので、前述のような底部構造を備えていると、例えば、ボトルが底部側から落下し、底部の底壁面に衝撃力が作用した場合に、底壁面において上側に位置する頂部が接地面に衝突し易くなる可能性がある。ここで、前記頂部は、ブロー成形の際にほとんど延伸されず、さらにゲート部分であるため、比較的脆性が高い性状を有している。このため、該頂部に衝撃が加わると、該頂部に割れが生ずるおそれがある。
【０００５】
本発明は係る実情に鑑みてなされたものであり、頂部が下側に向けて変位するのを抑制し、頂部が接地面に衝突するのを抑制することができるボトルを提供することを目的とする。
【課題を解決するための手段】
【０００６】
上記課題の解決手段として、本発明は、射出成形により形成された有底筒状のプリフォームがブロー成形され、減容変形自在に形成されたボトルであって、底部の底壁面は、外周縁部に位置する接地部と、ボトル径方向の中央部に位置して射出成形時のゲート部分が位置する頂部と、これらの接地部と頂部とを連結するとともに、ボトル径方向の外側から内側に向かうに従い漸次、下側から上側に向けて延びる立ち上がり壁と、を備え、該立ち上がり壁は、前記接地部に連なる外連結部と、頂部に連なる内連結部と、を備え、前記外連結部のボトル軸に対する傾斜角度が、前記内連結部のボトル軸に対する傾斜角度よりも大きくなっていることを特徴とするボトルを提供する。
【０００７】
このボトルでは、外連結部のボトル軸に対する傾斜角度が、内連結部のボトル軸に対する傾斜角度よりも大きくなっているので、外連結部を接地部回りに下側に向けて撓み変形させ易くすることが可能になり、内容物が充填されているボトルが、例えば、底部側から落下したときに、底部の底壁面に衝撃力が作用しても、外連結部を撓み変形させることで、この衝撃力を、主に外連結部によって吸収することができる。
また、内連結部のボトル軸に対する傾斜角度が、外連結部のボトル軸に対する傾斜角度よりも小さくなっており、内連結部にリブ効果を発揮させ易くすることができるので、前述の衝撃力を内連結部によって受け止め易くすることができる。つまり、内連結部のボトル軸方向の力に対する支持剛性を確保し易くして、前述の衝撃力を内連結部によって受け止め易くすることができる。
したがって、底部の底壁面に作用した衝撃力によって、頂部が下側に向けて変位するのを抑制し、頂部が接地面に衝突するのを抑制することができる。
【０００８】
また、上記ボトルにおいては、前記底部は、当該ボトルの胴部の下端に接続され、該胴部は、複数のパネル面部が、ボトル軸方向に延びる稜線部を介してボトル周方向に連設されて構成され、前記複数のパネル面部には、一方の前記稜線部の上端と他方の前記稜線部の下端とを繋ぐ谷線部が各別に形成され、それぞれの前記谷線部は、ボトル周方向に並列するように配設されていてもよい。
この場合、各パネル面部が谷線部を起点として、各谷線部に沿って折り畳まれるようにして、胴部を捩れ状にボトル軸方向に減容変形させることができるので、ボトルを可及的コンパクトに減容させることができる。
【発明の効果】
【０００９】
本発明によれば、底部の底壁面に作用した衝撃力によって、頂部が下側に向けて変位するのを抑制し、頂部が接地面に衝突するのを抑制することができる。
【図面の簡単な説明】
【００１０】
【図１】本発明の実施形態に係るボトルの側面図である。
【図２】図１のＡ−Ａ線に沿う断面図である。
【図３】図１のＢ−Ｂ線に沿う断面図である。
【発明を実施するための形態】
【００１１】
以下、図面を参照し、本発明の一実施形態に係るボトル１を説明する。
【００１２】
ボトル１は、射出成形により形成された有底筒状のプリフォームがブロー成形され、減容変形自在に薄肉に形成されたものである。このボトル１は、図１に示すように、口部１１、肩部１２、胴部１３、及び底部１４がボトル軸Ｏ方向に沿ってこの順に連設されている。口部１１、肩部１２、及び胴部１３はそれぞれ筒状に形成され、底部１４は有底筒状に形成されていて、これら１１〜１４はボトル軸Ｏと同軸に配設されている。
【００１３】
なお、以下では、ボトル軸Ｏ方向に沿って口部１１側を上側、底部１４側を下側といい、ボトル軸Ｏに直交する方向を径方向、ボトル軸Ｏ回りに周回する方向を周方向という。
【００１４】
口部１１には、図示されない蓋体が離脱自在に装着されるようになっており、口部１１の下端には、径方向の外側に向けて突出するネックリング１６が形成されている。肩部１２は、上側から下側に向かうに従い漸次拡径されている。肩部１２のうち、口部１１の下端に連なる上肩部１７は、傾斜平面とされ、胴部１３の上端に連なる下肩部１８は、上側に向けて突の曲面状に形成されている。
【００１５】
図１及び図２に示されるように、胴部１３は、３つのパネル面部２０が、ボトル軸Ｏ方向に延びる稜線部２１を介して周方向に連設されて構成されている。３つのパネル面部２０には、パネル面部２０が周方向で接続する両側の稜線部２１のうちの、一方の稜線部２１の上端と他方の稜線部２１の下端とを繋ぐ谷線部２２が各別に形成され、これら谷線部２２は、周方向に並列するように配設されている。
【００１６】
３本の稜線部２１は、胴部１３の横断面において、図２に二点鎖線で示されるような正三角形の頂点に配置され、ボトル１に作用する径方向の外側からの力及び上下方向の力に対して補強リブとしての機能を発揮する。また、胴部１３は、稜線部２１を除いて、上端と下端から上下方向の中央高さ位置に向けて縮径するように形成されている。また、谷線部２２は、ボトル軸Ｏに対する傾斜角度が、約４５度程度とされている。また、谷線部２２は、側面視で下側に突の弧状に形成されている。
【００１７】
底部１４は、胴部１３の下端から、下側に向かうに従い径方向の内側に延びる筒状のヒール部２４と、ヒール部２４の下端開口を閉塞する底壁面２５と、を備えている。なお、ヒール部２４は詳しくは、下側に突の曲面状に形成されている。
【００１８】
図３に示されるように、底壁面２５は、外周縁部に位置する環状の接地部２６と、径方向の中央部に位置して射出成形時のゲート部分Ｇが位置する頂部２７と、これらの接地部２６と頂部２７とを連結するとともに、径方向の外側から内側に向かうに従い漸次、下側から上側に向けて延びる立ち上がり壁２８と、を備えている。
なお、前記ゲート部分Ｇについては、説明便宜上、ドットを付して示している。このゲート部分Ｇは、頂部２７の径方向の中央部に形成されている。
【００１９】
接地部２６は、ボトル１を接地面に載置する際に、接地面に接地してボトル１を起立させるための部位であり、頂部２７は、ブロー成形の際にほとんど延伸されず、さらにゲート部分Ｇが位置するため、比較的脆性が高い性状を有するものである。また、本実施形態において頂部２７は、ヒール部２４の上端よりも下側に位置している。一方で、立ち上がり壁２８は、ブロー成形の際に比較的延伸されて、頂部２７よりも薄肉になる。
【００２０】
本実施形態では、立ち上がり壁２８が、接地部２６に連なる外連結部３０と、頂部２７に連なる内連結部３１と、を備えている。そして、外連結部３０のボトル軸Ｏに対する傾斜角度αは、内連結部３１のボトル軸Ｏに対する傾斜角度βよりも大きくなっている。
なお、外連結部３０及び内連結部３１はともに傾斜平面に形成され、傾斜角度αは、外連結部３０の径方向の内側に向けた延長線が、ボトル軸Ｏと形成する角度である。また、傾斜角度βは、内連結部３１の径方向の内側に向けた延長線が、ボトル軸Ｏと形成する角度である。詳しくは、図の例では、縦断面で、外連結部３０の外面に沿って径方向の内側に向けて延び、ボトル軸Ｏまで至る延長線と、この延長線がボトル軸Ｏと交わる交点から下側に向けて延びるボトル軸Ｏとがなす角度で、傾斜角度αを示している。また、内連結部３１の外面に沿って径方向の内側に向けて延び、ボトル軸Ｏまで至る延長線と、この延長線がボトル軸Ｏと交わる交点から下側に向けて延びるボトル軸Ｏとがなす角度で、傾斜角度βを示している。
【００２１】
また、本実施形態では、前記傾斜角度αが７５程度に設定されており、前記傾斜角度βが４０度程度に設定されており、これらの角度は特段限定されるものではないが、傾斜角度αは、４５度以上とすることが好ましく、傾斜角度βは４５度未満とすることが好ましい。
【００２２】
また、本実施形態では、外連結部３０の上下方向の高さＬ１と、内連結部３１の上下方向の高さＬ２との比が、１：３程度に設定されており、これらの寸法比は特に限定されるものではないが、１：３程度に設定しておくと、頂部２７と接地部２６とを上下方向で十分に離間させることができるので、頂部２７の保護の観点では好適である。
【００２３】
以上に説明した本実施形態のボトル１では、外連結部３０のボトル軸Ｏに対する傾斜角度αが、内連結部３１のボトル軸Ｏに対する傾斜角度βよりも大きくなっているので、外連結部３０を接地部２６回りに下側に向けて撓み変形させ易くすることが可能になり、内容物が充填されているボトル１が、例えば、底部１４側から落下したときに、底部１４の底壁面２５に衝撃力が作用しても、外連結部３０を撓み変形させることで、この衝撃力を、主に外連結部３０によって吸収することができる。
また、内連結部３１のボトル軸Ｏに対する傾斜角度βが、外連結部３０のボトル軸Ｏに対する傾斜角度αよりも小さくなっており、内連結部３１にリブ効果を発揮させ易くすることができるので、前述の衝撃力を内連結部３１によって受け止め易くすることができる。つまり、内連結部３１のボトル軸Ｏ方向の力に対する支持剛性を確保し易くすることができるので、前述の衝撃力を内連結部３１によって受け止め易くすることができる。
したがって、このボトル１では、底部１４の底壁面２５に作用した衝撃力によって、頂部２７が下側に向けて変位するのを抑制し、頂部２７が接地面に衝突するのを抑制することができる。
また、このように頂部２７が下側に向けて変位するのを抑制し、頂部２７が接地面に衝突するのを抑制することができることで、例えば、頂部２７をヒール部２４の上端よりも高い位置に設定したりする等、頂部２７を接地面から上側に必要以上に離間させる必要がないので、ボトル１の容量を効率的に確保することもできる。
【００２４】
また、胴部１３は、複数のパネル面部２０が、ボトル軸Ｏ方向に延びる稜線部２１を介して周方向に連設されて構成され、複数のパネル面部２０には、一方の稜線部２１の上端と他方の稜線部２１の下端とを繋ぐ谷線部２２が各別に形成され、それぞれの谷線部２２は、周方向に並列するように配設されている。
【００２５】
この場合、各パネル面部２０が谷線部２２を起点として、各谷線部２２に沿って折り畳まれるようにして、胴部１３を捩れ状にボトル軸Ｏ方向に減容変形させることができるので、ボトル１を可及的コンパクトに減容させることができる。
【００２６】
以上、本発明の実施形態について図面を参照して詳述したが、具体的な構成はこの実施形態に限られるものではなく、本発明の要旨を逸脱しない範囲の設計変更等も含まれる。
【００２７】
例えば、上記実施形態では、パネル面部２０が３つである構成を説明したが、４以上であってもよく、このようなパネル面部２０は形成されていなくてもよい。
【００２８】
（検証例）
以下では、上記実施形態のボトル１に具体的な寸法を設定して、落下実験を行った検証例を説明する。この検証例では、ボトル１を容量３５０ｍｌに形成し、内容物の温度を摂氏０度として、ボトル１をコンクリート面の上方、１ｍの高さから、底部１４をコンクリート面に向けて落下させた。
そして、上述の条件で、同一のボトル１で落下実験を１０回繰り返して行ったが、頂部２７には、特に亀裂が生じる等の割れは見受けられなかった。この結果からも、本発明の効果が確認できた。
【符号の説明】
【００２９】
１  ボトル
１１  口部
１２  肩部
１３  胴部
１４  底部
２０  パネル面部
２１  稜線部
２２  谷線部
２５  底壁面
２６  接地部
２７  頂部
２８  立ち上がり壁
３０  外連結部
３１  内連結部
【図１】
2013209118.tif 000003
【図２】
2013209118.tif 000004
【図３】
2013209118.tif 000005